(57)【要約】【課題】  負荷タップ切換器付き変圧器設備において、負荷時タップ切換器の切換開閉器におけるダバータースイッチ等の部品の保守点検、交換作業の際に、変圧器タンク上部から対象部品を出し入れするための変圧器の上部作業空間を縮小して、変圧器建屋の天井高さを低くして変圧器建屋のコンパクト化が実現できる負荷時タップ切換器付き変圧器設備を提供する。【解決手段】  切換開閉器室７を変圧器タンク１内の下部に設けるとともに、前記切換開閉器室７内に収容された切換開閉器３の構成部品を変圧器タンク１内外に出し入れ可能な空間室２３を変圧器タンク１底部に隣接して変圧器建屋床２２の床下に切換開閉器室７と連通するように形成する。【選択図】図１
2011192839.tif 000002
【特許請求の範囲】
【請求項１】
絶縁媒体を充填した変圧器タンク内に、鉄心と巻線を備えた変圧器本体と、タップ選択器および切換開閉器を備えた負荷時タップ切換器が収容され、前記変圧器タンクを、変圧器建屋内に収容してなるガス絶縁変圧器設備において、
前記変圧器タンク内の下部に切換開閉器室を形成し、この切換開閉器室に切換開閉器を収容するとともに、前記タンク底部に隣接する変圧器建屋床下に前記切換開閉器室と連通する空間室を形成したことを特徴とする負荷時タップ切換器付き変圧器設備。
【請求項２】
前記切換開閉器は、絶縁媒体が充填されたタンク内部および前記タップ選択器室とは気密に前記切換開閉器室内に収容したことを特徴とする請求項１に記載の負荷時タップ切換器付き変圧器設備。
【請求項３】
前記空間室は、少なくとも前記切換開閉器の保守点検および搬送に必要な大きさを有することを特徴とする請求項１または２に記載の負荷時タップ切換器付き変圧器設備。
【請求項４】
前記空間室は、昇降機能を有する搬送装置が備えられていることを特徴とする請求項１ないし３のいずれか一項に記載の負荷時タップ切換器付き変圧器設備。
【請求項５】
前記空間室は、前記タンク底部から前記タンク外側に形成された空間部にわたる変圧器建屋床面と連接して形成され、変圧器建屋内のタンク外側空間に通じる変圧器建屋床面に開放可能な仕切り部を設けたことを特徴とする負荷時タップ切換器付き変圧器設備。
【発明の詳細な説明】
【技術分野】
【０００１】
本発明は、負荷時タップ切換器を備えた変圧器設備に関する。
【背景技術】
【０００２】
地下変電所や屋内変電所など、広い設置スペースが確保できないところでは、絶縁距離を小さくすることによってコンパクト化を図ったガス絶縁変圧器が適用されている。
【０００３】
さらに、電力用の変圧器においては、電圧調整をするための負荷時タップ切換器が備えられている場合が多い。
【０００４】
以下に、負荷時タップ切換器を有するガス絶縁変圧器設備について、図面を参照して説明する。図２は、負荷時タップ切換器を備えた従来のガス絶縁変圧器設備の概略構成図を示すものである。
【０００５】
図において、絶縁ガスが充填された変圧器タンク１内には、鉄心５１と巻線５２を備えた変圧器本体５と、負荷時タップ切換器８の主要構成部であるタップ選択器２と切換開閉器３がそれぞれ収容され、変圧器建屋３０に設置されている。
【０００６】
負荷時タップ切換器８は、図に示すように、一端が変圧器タンク１の上方に突出して設けられた切換開閉器室７の中に収容された切換開閉器３と、切換開閉器室７の下部に連接して設けられたタップ選択器室６内に収容されたタップ選択器２と、切換開閉器室７を介して切換開閉器３に接続され変圧器タンク１の外部に取り付けられた電動操作機構４とで構成されている。
【先行技術文献】
【特許文献】
【０００７】
【特許文献１】特開平５-９００４２号公報
【発明の概要】
【発明が解決しようとする課題】
【０００８】
ところが、このように構成されたガス絶縁変圧器においては、以下に説明するような課題がある。
【０００９】
前述したように、ガス絶縁変圧器においては、コンサベータ付き油入変圧器において必要とされるコンサベータを、変圧器本体５を収容する変圧器タンク１の上方に配置する必要がないため、変圧器タンク１の高さ方向の寸法を小さくできるという利点がある。
【００１０】
しかるに、切換開閉器３のダイバータースイッチ等の部品の保守、点検、交換等を行うためには、切換開閉器３を変圧器タンク１の外部に取り出して行う必要がある。このため、図２に示したように、変圧器建屋３０の天井２０に設置したレール２１に取り付けられたチェーンブロック１９等を用いて、切換開閉器３を変圧器タンク１の上方へ引き出して作業を行う必要がある。
【００１１】
例えば、地下変電所の場合は、ガス絶縁変圧器設備は通常最下階に据え付けられる場合がほとんどであり、切換開閉器３のダイバータースイッチ等の保守，点検等のために変圧器タンク１の上部に作業用の空間を設ける必要があると、コンサベータ付き油入変圧器に比べて、コンサベータ分の高さを少なくできる、という利点を生かすことができず、変圧器タンク１の上方に常時は使用しない保守、点検用の空間を確保しておかなければならず、その結果、変圧器建屋３０の高さを低く出来ないという問題がある。
【００１２】
また、切換開閉器３は変圧器タンク１内の上部に配置されており、絶縁ガスの温度の高い場所にあるために温度が上昇し易く、そのために通電能力が制限されてしまうという課題もある。
【００１３】
この課題を解決するために、変圧器タンク内に設けられる負荷時タップ切換器の切換開閉器室の部分を、変圧器本体を収納する変圧器タンク内に隔壁を介して設け、変圧器タンク内の絶縁ガス雰囲気とは分離された切換開閉器室内に切換開閉器を収容するとともに、隔壁で仕切られた変圧器タンクの側面に、保守，点検のための挿通孔を設けた構成が提案されている（特許文献１）。
【００１４】
しかるに、この方法によれば、保守、点検作業の場合は、変圧器タンクに設けられた挿通孔を利用して隔壁で仕切られた変圧器タンク内に入って保守、点検作業を行うことが可能であるが、現地での負荷時タップ切換器の交換等を行うには、相変わらず変圧器タンクの上部に負荷時タップ切換器の吊り上げ作業のための空間が必要となり、変圧器建屋の天井を高くせざるを得なかった。
【００１５】
そこで本発明においては、上記課題を解決し、変圧器タンク上方に負荷時タップ切換器の保守、点検、交換等における作業用空間を必要としない、変圧器建屋の天井高さの低減が実現できるガス絶縁変圧器設備を提供することを目的とする。
【課題を解決するための手段】
【００１６】
上記目的を達成するために、本発明においては、絶縁媒体を充填した変圧器タンク内に鉄心と巻線を備えた変圧器本体と、タップ選択器と切換開閉器を備えた負荷時タップ切換器が収容され、絶縁媒体が充填された変圧器タンクを、変圧器建屋内に収容してなるガス絶縁変圧器設備において、前記切換開閉器を前記変圧器タンク内の下部に形成した切換開閉器室に収容するとともに、前記タンク底部に隣接して変圧器建屋床下に前記切換開閉器室と連通する空間室を形成したことを特徴とする。
【発明の効果】
【００１７】
本発明は、上記のように構成したので、変圧器タンク底部に隣接して変圧器建屋床下に形成した空間室内に必要な部品を引き出すことができ、切換開閉器におけるダイバータースイッチの保守、点検、交換等の作業を空間室内で行うことができる。
【００１８】
このように、従来のように切換開閉器等の部品を変圧器タンクの上部外側に移動させる必要がないことから、変圧器タンク上部に切換開閉器のダイバータースイッチ等の保守、点検のための空間を確保する必要がない。
【００１９】
このため、屋内に設置する変電所の場合には、変圧器建屋の天井高さを低くできるため、変電設備の建設コストの低減にも寄与できる。
【００２０】
さらに、切換開閉器は変圧器タンクの下部に設置するようにしたことから、変圧器タンク下部の温度の低い絶縁媒体で冷却される上に、切換開閉器を冷却して温まった絶縁媒体は変圧器タンク上部に流通するため切換開閉器の温度上昇が抑制される。
【００２１】
以上の説明からわかるように、本発明に係る負荷時タップ切換器付き変圧器設備においてば、負荷時タップ切換装置の切換開閉器室を変圧器タンク下部に設け、変圧器タンク底部に隣接して変圧器建屋床下に切換開閉器室と連通する空間室を設けた構成としたので、負荷時タップ切換器の切換開閉器におけるダイバータースイッチ等の保守、点検、交換等の作業を、全て変圧器タンク底部に隣接して形成した空間室に移動させて行うことができる。
【００２２】
このため、従来のように変圧器タンクの上方に切換開閉器を出し入れするための空間を設ける必要がなくなり、変圧器建屋の天井高さを低くすることができるので、設備の建設コストやメンテナンス費用が低減できる負荷時タップ切換器付き変圧器設備を提供できる。
【図面の簡単な説明】
【００２３】
【図１】本発明に係る負荷時タップ切換器付き変圧器設備の概略構成図。
【図２】従来の負荷時タップ切換器付き変圧器設備の概略構成図。
【発明を実施するための形態】
【００２４】
以下、本発明に係る負荷時タップ切換器付き変圧器設備の代表的な実施形態について、図面を参照して説明する。
【００２５】
本発明に係る負荷時タップ切換器付き変圧器設備の代表的な実施形態の概略構成を図１に示す。
【００２６】
なお、本実施形態は従来の負荷時タップ切換器付き変圧器設備の構成の一部を変更したものであるので、従来と同一または類似の部分には同一符号を付して詳細な説明を省略し、異なる部分について説明する。
【００２７】
図１において、変圧器本体５が収容された変圧器タンク１の下部には、負荷時タップ切換器８のタップ選択器２が上側に、切換開閉器３が下側になるように配置され、それぞれがタップ選択器室６、切換開閉器室７に収容され、変圧器タンク１の下部に取り付けられている。
【００２８】
なお、切換開閉器３は、変圧器タンク１の外側に設置された電動操作機構４が接続されており、負荷時タップ切換器８を遠隔で操作できるように構成されている。
【００２９】
ここで、切換開閉器室７の下端部は変圧器タンク１の底部に形成された開口部を介して変圧器タンク１が設置された変圧器建屋床２２の床下に連通して設けられた空間室２３に突き出して配置されている。
【００３０】
なお、空間室２３は、負荷時タップ切換器８を構成する切換開閉器３等の部品を空間室２３内に収容するのに十分な大きさ有しており、また、空間室２３内から変圧器タンク１の外の変圧器建屋３０内に切換開閉器３等の部品を取り出せるだけの十分な大きさを有している。
【００３１】
このように構成することで、真空バルブなどを使用した切換開閉器３のダイバータースイッチ等の部品の保守，点検の際には、切換開閉器室７の上部に配置したタップ選択器２を変圧器タンク１内に残して、例えば、搬送装置２５で支えながら切換開閉器３をタンク１の垂直下方向に移動させ、搬送装置２５を用いて空間室２３内に取り出した後、必要に応じて切換開閉器３を横方向に移動させ、点検交換作業を実施できる。
【００３２】
この場合、切換開閉器室７は端部の一部を除いて変圧器タンク１内に設けられているが、切換開閉器室７が絶縁ガスの温度の低い変圧器タンク１下部に配置されており、さらに、切換開閉器室と変圧器タンク１内の絶縁ガスとの間には断熱材を介在させることで、従来のように切換開閉器３の周囲の温度が上昇することはない。
【００３３】
また、図示しないが、タップ選択器室６は変圧器本体５と同じ圧力になるように、タップ選択器室６を構成する容器にガス貫通穴を設けて、タップ選択器室６は変圧器本体５が高気圧でも、切換開閉器３を収納する切換開閉器室７は大気圧に低下できるように、電動操作機構４の駆動伝達部にはOリング等で気密が保持できるようにすると共に、切換開閉器室７には複数の絶縁スペーサが取り付けられ、絶縁スペーサを介して切換開閉器３と変圧器本体５とが接続されている。
【００３４】
このように構成することで、変圧器本体５が収容された変圧器タンク１の圧力を大気圧にすることなく、切換開閉器３のダイバータースイッチ等の部品の保守、点検、交換ができるようになるため、変圧器を長時間停止させることなく短時間で保守、点検、交換作業を行うことが可能となる。
【００３５】
なお、本実施形態では、負荷時タップ切換器付き変圧器として、ガス絶縁変圧器の場合を例に挙げて説明したが、本発明における絶縁媒体としては、ガスに限定されるものではなく、鉱油、エステル油、シリコン油、生分解性油等の絶縁油を用いた変圧器であっても変圧器本体を収容するタンクの上部にコンサベータを持たない負荷時タップ切換器付き変圧器に対しては同様の作用効果を得ることが出来ることは言うまでもない。
【００３６】
ここで、切換開閉器７の部品交換作業について簡単に述べる。まず、交換に必要な部品を変圧器建屋３０内に搬送し、変圧器建屋天井２０に設置された変圧器建屋天井レール２１に取り付けられたチェーンブロック１９や図示しない搬送装置等を用いて、空間室２３と変圧器建屋床２２との間に設けられたチェッカートレンチ２４を開放して、交換部品を空間室内に移動しておく。次に、変圧器タンク１の切換開閉器室７から切換開閉器３を空間室２３内に取り出して、搬送装置２５を用いて交換部品を所定の場所に移動させ、切換開閉器３を組み立て変圧器タンク１内の切換開閉器室７内に取り付け、切換開閉器３の部品の交換作業が完了する。
【００３７】
以上の説明からわかるように、本発明に係る負荷時タップ切換器付き変圧器設備においては、絶縁媒体を充填した変圧器タンク内に、鉄心と巻線を備えた変圧器本体と、タップ選択器および切換開閉器を備えた負荷時タップ切換器が収容され、前記変圧器タンクを、変圧器建屋内に収容してなるガス絶縁変圧器設備において、前記変圧器タンク内の下部に切換開閉器室を形成し、この切換開閉器室に切換開閉器を収容するとともに、前記タンク底部に隣接する変圧器建屋床下に前記切換開閉器室と連通する空間室を形成したので、負荷時タップ切換器の切換開閉器における真空バルブ等を使用したダイバータースイッチ等の部品の保守、点検、交換等を上記空間室において容易に行うことができる。
【００３８】
このため、従来のように変圧器タンクの上部に切換開閉器を出し入れするための空間を設ける必要がなくなり、変圧器建屋の天井高さを低くでき、変圧器設置スペースの縮小化を図ることができ、設備の建設コストを低減できる負荷時タップ切換器付き変圧器設備を提供することができる。
【符号の説明】
【００３９】
１…変圧器タンク、２…タップ選択器、３…切換開閉器、４…電動操作機構、
５…変圧器本体、６…タップ選択器室、７…切換開閉器室、８…負荷時タップ切換器、
１９…チェーンブロック、２０…変圧器建屋天井、２１…変圧器建屋天井レール、
２２…変圧器建屋床、２３…空間室、２４…チェカートレンチ、２５…搬送装置、
３０…変圧器建屋、５１…鉄心、５２…巻線
【図１】
2011192839.tif 000003
【図２】
2011192839.tif 000004